(57)【要約】【課題】ユーザが電子装置を簡便に使用したり操作したりすることができる電子装置の保持器を提供する。【解決手段】電子装置の保持器は、２つの保持ユニット１と、２つの保持ユニット１に接続された連結機構２とを備える。２つの保持ユニット１上には落ち込み領域１３が設けられている。落ち込み領域１３と保持ユニット１との間には、挟持段差１４が設けられている。２つの保持ユニット１は、対応するように電子装置の周縁部を嵌入して安定的に保持する挿入口を有する。【選択図】図１
0003162959.tif 000002
【実用新案登録請求の範囲】
【請求項１】
２つの保持ユニットと、前記２つの保持ユニットに接続された連結機構と、を備え、
前記２つの保持ユニット上には落ち込み領域が設けられ、前記落ち込み領域と前記保持ユニットとの間には、挟持段差が設けられ、
前記２つの保持ユニットは、対応するように電子装置の周縁部を嵌入して安定的に保持する挿入口を有することを特徴とする電子装置の保持器。
【請求項２】
前記２つの保持ユニットの外側には、握持部が凸設されていることを特徴とする請求項１に記載の電子装置の保持器。
【請求項３】
前記２つの保持ユニットは、前部が低くて後部が高く傾斜するように、後側の底部に凸設された支持部材を有することを特徴とする請求項１に記載の電子装置の保持器。
【請求項４】
前記連結機構は、一方の端部が互いに嵌合された第１の杆状部材及び第２の杆状部材を少なくとも有し、
前記第１の杆状部材と前記第２の杆状部材との間には、前記２つの保持ユニット間の距離を調整する長さ調整ユニットが配置されていることを特徴とする請求項１に記載の電子装置の保持器。
【請求項５】
前記長さ調整ユニットは、突出された前記第１の杆状部材の管壁の外側に突出され、弾性押圧する押圧部材と、前記押圧部材により押圧される助勢部材と、前記助勢部材により駆動されて変位し、前記第２の杆状部材の管壁に向かって圧縮される位置決め部材と、前記第１の杆状部材と前記第２の杆状部材との間に取り付けられた弾性部材と、を有し、
前記押圧部材は、前記第１の杆状部材の前記管壁間に配置され、その押圧方向に対応するように第１の弾性部材が取り付けられ、前記押圧部材及び前記助勢部材の側部に設けられた第１の傾斜押圧面を有し、
前記助勢部材は、前記押圧部材の前記第１の傾斜押圧面に対向するように設けられた第１の傾斜押当面を一方の端部に有し、第２の傾斜押圧面を他方の端部に有し、
前記位置決め部材は、前記助勢部材の前記第２の傾斜押圧面に対向するように設けられた第２の傾斜押当面と、爪部と、を有し、
前記第２の杆状部材の前記管壁には、複数の位置決め孔が設けられ、前記第１の杆状部材の前記管壁に前記爪部を貫設させて前記複数の位置決め孔のうちの１つに穿設させ、
前記位置決め部材は、前記第１の杆状部材の前記管壁間に位置し、前記爪部の他方の端部に設けられた第２の弾性部材を有することを特徴とする請求項４に記載の電子装置の保持器。
【考案の詳細な説明】
【技術分野】
【０００１】
本考案は、電子装置の保持器に関し、特に、所望の位置に電子装置を保持し、ユーザが簡便に使用したり操作したりすることができる電子装置の保持器に関する。
【背景技術】
【０００２】
科学技術の発展に伴い、例えば、ｉＰｏｄ（登録商標）、最近人気のタブレットＰＣ（ｔａｂｌｅｔ  ＰＣ）など、各種電子製品が改良・開発されている。そのなかでもアップルコンピュータ社の製品ｉＰａｄ（登録商標）は、人気のタブレットＰＣである。ｉＰａｄは、一般の本と同じ大きさであり、画面を直立に表示することができる上、ｉＰｈｏｎｅ（登録商標）と同様に、モーションセンサーにより、画面を横向きで表示したり、ホームページを閲覧したり、電子メールを送受信したり、電子書籍を表示したり、音声又は映像を再生したりすることができる。
【０００３】
しかし電子製品のなかには、長時間手で持って使用するには好ましくないものがあり、例えば、上述のｉＰａｄ（登録商標）の場合、ビデオを見たりホームページを閲覧したりする場合、テーブルなどの上に立てて使用することができず、使用上不便である。
【考案の概要】
【考案が解決しようとする課題】
【０００４】
本考案の目的は、ユーザが電子装置を簡便に使用したり操作したりすることができる電子装置の保持器を提供することにある。
【課題を解決するための手段】
【０００５】
上記課題を解決するために、本考案の第１の形態によれば、２つの保持ユニットと、前記２つの保持ユニットに接続された連結機構と、を備え、前記２つの保持ユニット上には落ち込み領域が設けられ、前記落ち込み領域と前記保持ユニットとの間には、挟持段差が設けられ、前記２つの保持ユニットは、対応するように電子装置の周縁部を嵌入して安定的に保持する挿入口を有することを特徴とする電子装置の保持器が提供される。
【０００６】
また、前記２つの保持ユニットの外側には、握持部が凸設されていることが好ましい。
【０００７】
また、前記２つの保持ユニットは、前部が低くて後部が高く傾斜するように、後側の底部に凸設された支持部材を有することが好ましい。
【０００８】
また、前記連結機構は、一方の端部が互いに嵌合された第１の杆状部材及び第２の杆状部材を少なくとも有し、前記第１の杆状部材と前記第２の杆状部材との間には、前記２つの保持ユニット間の距離を調整する長さ調整ユニットが配置されていることが好ましい。
【０００９】
また、前記長さ調整ユニットは、突出された前記第１の杆状部材の管壁の外側に突出され、弾性押圧する押圧部材と、前記押圧部材により押圧される助勢部材と、前記助勢部材により駆動されて変位し、前記第２の杆状部材の管壁に向かって圧縮される位置決め部材と、前記第１の杆状部材と前記第２の杆状部材との間に取り付けられた弾性部材と、を有し、前記押圧部材は、前記第１の杆状部材の前記管壁間に配置され、その押圧方向に対応するように第１の弾性部材が取り付けられ、前記押圧部材及び前記助勢部材の側部に設けられた第１の傾斜押圧面を有し、前記助勢部材は、前記押圧部材の前記第１の傾斜押圧面に対向するように設けられた第１の傾斜押当面を一方の端部に有し、第２の傾斜押圧面を他方の端部に有し、前記位置決め部材は、前記助勢部材の前記第２の傾斜押圧面に対向するように設けられた第２の傾斜押当面と、爪部と、を有し、前記第２の杆状部材の前記管壁には、複数の位置決め孔が設けられ、前記第１の杆状部材の前記管壁に前記爪部を貫設させて前記複数の位置決め孔のうちの１つに穿設させ、前記位置決め部材は、前記第１の杆状部材の前記管壁間に位置し、前記爪部の他方の端部に設けられた第２の弾性部材を有することが好ましい。
【考案の効果】
【００１０】
本考案の電子装置の保持器は、ユーザが電子装置を簡便に使用したり操作したりすることができる。
【図面の簡単な説明】
【００１１】
【図１】本考案の一実施形態による電子装置の保持器を示す斜視図である。
【図２】本考案の一実施形態による電子装置の保持器の連結機構及び長さ調整ユニットを示す分解斜視図である。
【図３】本考案の一実施形態による電子装置の保持器の連結機構及び長さ調整ユニットを示す平面図である。
【図４】図３の部分拡大図である。
【図５】本考案の一実施形態による電子装置の保持器の連結機構と長さ調整ユニットとの距離を調整するときの状態を示す平面図である。
【図６】図５の部分拡大図である。
【図７】本考案の一実施形態による電子装置の保持器に電子装置を横向きかつ平らに設置するときの状態を示す平面図である。
【図８】本考案の一実施形態による電子装置の保持器に電子装置を縦向きかつ平らに設置するときの状態を示す平面図である。
【図９】本考案の一実施形態による電子装置の保持器に電子装置を横向きかつ立てて設置するときの状態を示す斜視図である。
【図１０】本考案の一実施形態による電子装置の保持器に電子装置を縦向きかつ立てて設置するときの状態を示す斜視図である。
【考案を実施するための形態】
【００１２】
図１を参照する。本考案の一実施形態による電子装置の保持器は、２つの保持ユニット１と、２つの保持ユニット１に接続された連結機構２と、を含む。例えば、ｉＰａｄ（登録商標）などの電子装置３（図７〜図１０に示す）を保持ユニット１により挟持することにより、所望の位置へ安定的に保持することができる。
【００１３】
本実施形態による電子装置の保持器は、ユーザが手で握持し、電子装置３を簡便に制御することができるように、２つの保持ユニット１の外側に握持部１１が凸設されている。
【００１４】
本実施形態による電子装置の保持器は、前部が低くて後部が高く傾斜するように、２つの保持ユニット１の後側の底部に凸設された支持部材１２を有する。これにより、ユーザは電子装置の保持器を簡便に操作し、電子装置３を所望の角度に傾けることができる。
【００１５】
図７及び図８を参照する。図７及び図８に示すように、２つの保持ユニット１上には落ち込み領域１３が設けられている。落ち込み領域１３と保持ユニット１の握持部１１との間には、挟持段差１４が設けられている。２つの保持ユニット１の落ち込み領域１３間へ電子装置３を平らに載置し、２つの保持ユニット１の挟持段差１４を電子装置３の２つの側部へ当接し、ユーザが使用できるように、２つの保持ユニット１間に電子装置３を保持する。２つの保持ユニット１上には、電子装置３の周縁部を対応するように嵌入させるために用いる挿入口１５が設けられている。電子装置３は、２つの保持ユニット１により挟持され、直立状態となるように強固に保持されているため、ユーザは電子装置３が表示するコンテンツ（図９及び図１０に示す）を容易に観賞することができる。
【００１６】
連結機構２は、２つの側部に設けられた保持ユニット１の間隔を調整するために用いる長さ調整ユニット４を有する。長さ調整ユニット４は、電子装置３のサイズと、電子装置３を補助保持器上へ横向き又は縦向きで置く状況とに応じて調整することにより、２つの側部に設けられた保持ユニット１により電子装置３を挟持し、安定的に保持することができる（図７〜図１０に示す）。
【００１７】
２つの側部に保持ユニット１が接続された連結機構２は、一方の端部が互いに嵌合された第１の杆状部材２１及び第２の杆状部材２２を少なくとも含む。第１の杆状部材２１と第２の杆状部材２２との間の嵌合箇所には、長さ調整ユニット４が設けられている。長さ調整ユニット４は、第１の杆状部材２１と第２の杆状部材２２との突出長さを調整し、２つの保持ユニット１間の距離を調整する。
【００１８】
図２〜図６を参照する。図２〜図６に示すように、長さ調整ユニット４は、突出された第１の杆状部材２１の管壁の外側に突出され、弾性押圧する押圧部材４１と、押圧部材４１により押圧される助勢部材４２と、助勢部材４２により駆動されて変位し、第２の杆状部材２２の管壁に向かって圧縮される位置決め部材４３と、を含む。押圧部材４１は、第１の杆状部材２１の管壁間に配置され、その押圧方向に対応するように第１の弾性部材４１１が取り付けられ、押圧部材４１及び助勢部材４２の側部に設けられた第１の傾斜押圧面４１２を有する。助勢部材４２は、押圧部材４１の第１の傾斜押圧面４１２に対向するように設けられた第１の傾斜押当面４２１を一方の端部に有し、第２の傾斜押圧面４２２を他方の端部に有する。位置決め部材４３は、助勢部材４２の第２の傾斜押圧面４２２に対向するように設けられた第２の傾斜押当面４３１と、第１の杆状部材２１の管壁に穿設され、第２の杆状部材２２の管壁に設けた複数の位置決め孔２２１のうちの１つに穿設される爪部４３２を有する。位置決め部材４３は、第１の杆状部材２１の管壁間に位置し、爪部４３２の他方の端部に設けられた第２の弾性部材４３３を有する。
【００１９】
ここで、押圧部材４１を押圧して第１の弾性部材４１１を圧縮すると、第１の傾斜押圧面４１２と助勢部材４２の第１の傾斜押当面４２１とが摺動され、第１の傾斜押圧面４１２により助勢部材４２の第１の傾斜押当面４２１が押され、第２の傾斜押圧面４２２に向かって助勢部材４２が変位する。第２の傾斜押圧面４２２は、位置決め部材４３の第２の傾斜押当面４３１に対向するように位置するため、助勢部材４２が第２の傾斜押圧面４２２に向かって変位すると、助勢部材４２の第２の傾斜押圧面４２２により位置決め部材４３が押圧され、第２の杆状部材２２の位置決め孔２２１から位置決め部材４３の爪部４３２が外れ、第２の弾性部材４３３が圧縮状態となる。そのため、第１の杆状部材２１と第２の杆状部材２２とが互いに嵌合された突進長さを調整し、所定の長さにした後に押圧部材４１をリリースする。これにより、第１の弾性部材４１１及び第２の弾性部材４３３の弾性回復力により、押圧部材４１及び位置決め部材４３のそれぞれが押圧される前の位置まで戻り、第２の杆状部材２２の位置決め孔２２１の中に位置決め部材４３の爪部４３２が再び挿入され、助勢部材４２が駆動されて元の位置に戻り、２つの保持ユニット１間の距離調整を完了する。
【００２０】
第１の杆状部材２１と第２の杆状部材２２との間に取り付けた弾性部材４４が圧縮されていない状態のとき、第１の杆状部材２１と第２の杆状部材２２との間隔は、第１の杆状部材２１と第２の杆状部材２２とを最大に展開したときの最長距離である。つまり、第１の杆状部材２１と第２の杆状部材２２との間の距離が最長距離より小さいとき、弾性部材４４が圧縮された状態であるため、押圧部材４１を押圧して第２の杆状部材２２の位置決め孔２２１から位置決め部材４３の爪部４３２が外れると、弾性部材４４の弾性回復力により第１の杆状部材２１及び第２の杆状部材２２が外側へ突伸されて変位する。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  保持ユニット
２  連結機構
３  電子装置
４  長さ調整ユニット
１１  握持部
１２  支持部材
１３  落ち込み領域
１４  挟持段差
１５  挿入口
２１  第１の杆状部材
２２  第２の杆状部材
４１  押圧部材
４２  助勢部材
４３  位置決め部材
４４  弾性部材
２２１  位置決め孔
４１１  第１の弾性部材
４１２  第１の傾斜押圧面
４２１  第１の傾斜押当面
４２２  第２の傾斜押圧面
４３１  第２の傾斜押当面
４３２  爪部
４３３  第２の弾性部材
【図１】
0003162959.tif 000003
【図２】
0003162959.tif 000004
【図３】
0003162959.tif 000005
【図４】
0003162959.tif 000006
【図５】
0003162959.tif 000007
【図６】
0003162959.tif 000008
【図７】
0003162959.tif 000009
【図８】
0003162959.tif 000010
【図９】
0003162959.tif 000011
【図１０】
0003162959.tif 000012